(57)【要約】【課題】本発明の課題は、投光範囲を投光方向に狭めた、柔らかい光を投光することができ、かつ、その投光器の投光方向の厚みを薄くすることが可能な投光器を提供することである。【解決手段】本発明の疑似平行光投光器は、拡散光を出射する拡散光平面光源、及び配向角度制御手段を含み、前記配向角度制御手段が、前記拡散光平面光源の発光面の全面に設けられてなり、かつ、前記発光面の５０％以上の面積の拡散光出射投光領域において、拡散光の内の配向角度０度成分光をそのまま前記投光するものであり、前記疑似平行光投光器が、前記発光面の法線とのなす角度が６０度以上の高配向角度光を含まない疑似平行光を、前記発光面の法線方向である投光方向に位置する前記被投光対象に投光し、かつ、前記観察者に投光しない。【選択図】図１
2015099695.tif 000002
【特許請求の範囲】
【請求項１】
その投光により被投光対象を明るく観察者に視認せしめる疑似平行光投光器であって、
拡散光を出射する拡散光平面光源、及び配向角度制御手段を含み、
該配向角度制御手段が、該拡散光平面光源の発光面の全面に設けられてなり、かつ、該発光面の５０％以上の面積の拡散光出射投光領域において、該拡散光の内の配向角度０度成分光をそのまま該投光するものであり、
該疑似平行光投光器が、該発光面の法線とのなす角度が６０度以上の高配向角度光を含まない疑似平行光を、該発光面の法線方向である投光方向に位置する該被投光対象に投光し、かつ、該観察者に投光しない疑似平行光投光器。
【請求項２】
前記配向角度制御手段が、前記投光方向の厚みがＤ、前記発光面の面内方向の平均開口幅がＥの前記拡散光出射投光領域に対応する開口を備える格子状板であり、かつ、Ｄ≧Ｅ／√３である、請求項１に記載の疑似平行光投光器。
【請求項３】
前記格子状板が、複数の前記開口を有し、前記Ｄの高さ、及び前記発光面の面内方向の平均壁厚みＴの、隣り合う前記開口を個々に分断する壁を含み、かつ、ＴがＴ≦０．５Ｅである、請求項２に記載の疑似平行光投光器。
【請求項４】
前記格子状板の前記開口により形成されるの格子が、六角格子、四角格子、及び平行線の間に波線が挟持されたダンボール断面断面形状格子からなる群から選ばれる１種である、請求項３に記載の疑似平行光投光器。
【請求項５】
前記壁が、光吸収性表面を有する、請求項３又は４に記載の疑似平行光投光器。
【請求項６】
前記格子状板の材料を金属とすることで、放熱性が高められた、請求項２〜５のいずれかに記載の疑似平行光投光器。
【請求項７】
前記拡散光平面光源が、有機ＥＬ光源である、請求項１〜６のいずれかに記載の疑似平行光投光器。
【請求項８】
前記配向角度制御手段が、前記発光面の全面に貼り付けられてなる、請求項１〜７のいずれかに記載の疑似平行光投光器。
【請求項９】
請求項１〜８のいずれかに記載の疑似平行光投光器であって、前記配向角度制御手段を用途に応じ取り換え可能とした、疑似平行光投光器。
【発明の詳細な説明】
【技術分野】
【０００１】
本発明は、拡散光を出射する拡散光平面光源含み、その投光により被投光対象を明るく照らすことで、その被投光対象を観察者に視認せしめる、疑似平行光投光器に関する。
【０００２】
特に、その拡散光平面光源としては、柔らかい拡散光をその全面から出射する有機ＥＬ光源が適しており、その中でも発光面が５ｃｍ角以上の大面積の有機ＥＬ光源が適している。
【０００３】
本発明の疑似平行光投光器は、その被投光対象としては美術品や展示品等が例示でき、例えば、ショーウィンドウ内の商品を観察者に魅力的に視認せしめる目的のような、被投光対象の外観が観察者に美観を起こさせるために適した照明器具として用いることができる。
【背景技術】
【０００４】
近年、白熱灯や蛍光灯に変わる照明光源として有機ＥＬ光源が注目され、多くの研究がなされている。また、テレビに代表されるディスプレイ部材においても液晶方式やプラズマ方式に変わる方式として有機ＥＬ方式が注目されている。
【０００５】
ここで有機ＥＬ光源は、ガラス基板や透明樹脂フィルム等の基材に、有機ＥＬ素子を積層したものである。また、有機ＥＬ素子は、一方又は双方が透光性を有する２つの電極を対向させ、この電極の間に有機化合物からなる発光層を積層したものである。有機ＥＬ素子は、電気的に励起された電子と正孔との再結合のエネルギーによって発光する。有機ＥＬ光源は、自発光デバイスであるため、ディスプレイ材料として使用すると高コントラストの画像を得ることができる。また、発光層の材料を適宜選択することにより、種々の波長の光を発光することができる。また白熱灯や蛍光灯に比べて厚さが極めて薄く、且つ面上に発光するので、設置場所の制約が少ない。
【０００６】
有機ＥＬ光源の代表的な層構成は、図５の通りである。図５に示される有機ＥＬ光源１００は、ボトムエミッション型と称される構成であり、ガラス基板１１０に、透明電極層１２０と、機能層１３０と、裏面電極層１４０が積層され、これらが封止部１５０によって封止されたものである。また機能層１３０は、複数の有機化合物の薄膜が積層されたものである。代表的な機能層１３０は、正孔注入層１３１、正孔輸送層１３２、発光層１３３、及び電子輸送層１３４を有している。電圧の印加により、ガラス基板１１０から光が出射する。
【０００７】
この有機ＥＬ光源の表面には、出射結合フィルムが貼り付けられ、発光強度を高めるとともにランベルシアン型の配光を実現して照明の用途に使用されてきた。また、この有機ＥＬ光源に、駆動電源回路、ドライバ回路が組み込まれるとともに、天井等に取り付ける固定手段、ケーシング等が組合せられて、有機ＥＬ照明が完成する。
【０００８】
有機ＥＬ光源は、前記のように、厚みが薄く、有機材料の組合せにより任意の発光ができることから、自然な発光が出来るという特徴を有しており天井灯よりも美術品等の照明の用途に注目を集めている。
【０００９】
しかしながら、有機ＥＬ光源は、その発光輝度が無機のＬＥＤと比較して小さいために、美術品等の照明として用いる場合には、ある程度の面積が必要となる。そして、美術品の鑑賞において場合により、観察者が有機ＥＬ光源そのものを見てしまうということがある。そのとき、照明された美術品よりも有機ＥＬ光源の方が明るくなるので、照明光源が目障りとなる。
【００１０】
こうした問題に対応した従来の灯光器として、、例えば、点光源の周辺に反射鏡を設けたりレンズを設けたりすることで平行光としたスポットライトが、従来から知られている。
【００１１】
しかしながら、狭い面積から照射される光であるため、面光源から照射される柔らかな光を投光することはできず、また、発熱の問題や、光源の中に紫外線等が含まれるという問題、あるいは光源の熱設計や、集光部の構造設計の制約により投光方向厚みが厚い光源となるという問題がある。
【００１２】
このようなことから、被投光対象を観察者に明るく視認させるための投光機であって、有機ＥＬ光源のような平面光源であっても、被投光対象に対して照明光源が目立たないような、即ち、観察者が両者を比較したときに被投光対象の方が明るく見えるような投光器が望まれていた。
【００１３】
このような特徴を有する投光器であって、しかも、それを有機ＥＬ光源のような拡散光平面光源をその光源とすることができれば、その薄さと柔らかな光の両方の特徴を活かした、上述の目的に対し最適な投光器になると期待できる。
【００１４】
一方、配向角度を制御した平面光源の例として、特許文献１にはガラスファイバーを束ねた基板を用いることが開示されており、また、特許文献２のように、シリンドリカルレンズを光出射面に突き立てた例、あるいは特許文献３のごとく、プリズムシートを貼り付ける例、また、特許文献４の如く、小さなデバイスを離散的に設けて、そのデバイスに対応してレンズを配置する例が開示されているが、上述のような投光器の実現を積極的に目指すものではない。
【００１５】
また、特許文献５には、発光素子から発光する光が透明基板からその前面に出射する発光装置において、その光取り出し効率および発光装置の正面輝度を向上させるために、透明基板の光出射側の面を、その主面法線方向に、平行な垂直面と、平行な水平面とを含んで構成された凹凸部とする技術が開示されているが、これも、上述のような投光器の実現を積極的に目指すものではない。
【００１６】
さらに、特許文献６には、エレクトロルミネッセンス板の表面に順に、透明板に不透明表示パターンが描かれた表示板、及び格子型遮光マスクが設けられた表示器とし、表示板の表面に外乱光が到達しないようにすることで、表示パターンの視認性を高める技術が開示されているが、これは、表示器に関する技術である。
【００１７】
以上のように、薄さと柔らかな光の両方の特徴を備える投光器を積極的に実現しようとした例は未だ知られていない。
【先行技術文献】
【特許文献】
【００１８】
【特許文献１】特開平１０−１９９６７２号公報
【特許文献２】特開２０１０−２７８０２１号公報
【特許文献３】特開２００７−２３４５７８号公報
【特許文献４】特開２００２−０４９３２６号公報
【特許文献５】特開２００８−０１０２４５号公報
【特許文献６】実開平０５−０６５０９８号公報
【発明の概要】
【発明が解決しようとする課題】
【００１９】
本発明は、このような先行技術を参考にして、新たなコンセプトに基づき為されたものであり、投光範囲を投光方向に狭めて、いわゆるスポットライトの様な効果を持たせつつ、柔らかい光を投光することができ、かつ、その投光器の投光方向の厚みを薄くすることが可能な、新たな投光器を提供することを課題とする。
【００２０】
例えば、有機ＥＬ光源の薄いという特性を活かしつつ、投光方向が制限された投光器を実現することであり。また、このような投光器を側面から見た場合に発光を認識されることなく、照明される展示物への照明が出来るようにすることである。
【００２１】
これらの先行技術は、その実現しようとする機能に比して、大きな費用がかかったり、必要なスペースが大きくなり、特に投光方向厚みが厚くなったりするという大きな問題があり、柔らかな光を投光しつつ薄く安価な投光器の開発という本発明の目的からは、遠い技術であり、特に、薄いという平面光源、特に有機ＥＬ光源の特徴を損ねてしまうことが問題である。
【００２２】
特許文献１では、基板にガラスファイバーシートを束ねたものを使用するとしているが有機ＥＬ光源の基板には極めて平滑度が高い材料を要していることから、高度の研磨技術が必要と考えられその価格が極めて高いものとなるので問題である。また、特許文献２の技術では、シリンドリカルレンズを基板に立つように並べているが、このようなレンズは高価あり、加えて、等間隔に基板の表面に固定することには困難性が伴うものと考える。さらに、特許文献３では、貼り付けるシートの中に３次元の構造を設けており、この構成も実施が難しく高価なものとなる。特許文献４の構成は、小さなＬＥＤのチップを配列させてそれに対応してレンズアレイを配置するものであるから、所望の薄さで光源を構成することは困難と考える。
【００２３】
また、特許文献５では、そもそも透明基板の光照射側の面に凹凸を設けるものであるから、光源の正面以外からも光源が見えてしまうという欠点がある。
【００２４】
さらに、特許文献６は、表示器の表示板の視認性の改善を目的としており、観察者が直視する表示器を対象とした技術であり、観察者が直視しないことを前提とし、逆に、観察者の眼を保護する観点から、投光光源をなるべく観察者が直視しないように工夫すべき本発明に係る疑似平行光投光器とは、その対象製品が全く異なる。
【課題を解決するための手段】
【００２５】
本発明は、拡散光平面光源を備える疑似平行光投光器であって、その投光光が、その平面光源の発光面の法線とのなす角度が６０度以上の高配向角度光の成分を含まない、疑似平行光投光器である。勿論、柔らかい光を投光する観点から、好ましくは６０度未満の低配向角度光については、概ねランベルシアン型の配光を実現していることが好ましい。
【００２６】
このような本発明の疑似平行光投光器は、その投光により被投光対象を明るく観察者に視認せしめる疑似平行光投光器であって、拡散光を出射する拡散光平面光源、及び配向角度制御手段を含み、前記配向角度制御手段が、前記拡散光平面光源の発光面の全面に設けられてなり、かつ、前記発光面の５０％以上の面積の拡散光出射投光領域において、拡散光の内の配向角度０度成分光をそのまま前記投光するものであり、前記疑似平行光投光器が、前記発光面の法線とのなす角度が６０度以上の高配向角度光を含まない疑似平行光を、前記発光面の法線方向である投光方向に位置する前記被投光対象に投光し、かつ、前記観察者に投光しない疑似平行光投光器である。
【００２７】
このような本発明の疑似平行光投光器は、特定の配向角度制御手段を設けることで、簡単にスポットライトの様な効果を持たせることができ、即ち、光源の正面以外からは光源が光っているのを見えにくくすることができ、また、２次元的に照明されるスポットライトに比べて３次元的に、影ができにくく、自然に見えるよう照明される。
【００２８】
前記配向角度制御手段を、前記投光方向の厚みがＤ、前記発光面の面内方向の平均開口幅がＥの前記拡散光出射投光領域に対応する開口を備える格子状板とし、かつ、Ｄ≧Ｅ／√３とすることが好ましく、前記発光面の法線とのなす角度が６０度以上の高配向角度光を含まない疑似平行光を、前記被投光対象に投光しつつ、前記観察者に投光しないようにすることができる。
【００２９】
前記格子状板を、複数の前記開口を有するようにし、また、前記Ｄの高さ、及び前記発光面の面内方向の平均壁厚みＴの、隣り合う前記開口を個々に分断する壁を含むようにし、さらに、Ｔが、Ｔ≦０．５Ｅとなるようにすることが好ましく、平面光源から出射される光をより有効に投光できる。
【００３０】
前記格子状板の前記開口により形成されるの格子を、六角格子、四角格子、及び平行線の間に波線が挟持されたダンボール断面断面形状格子からなる群から選ばれる１種とすることが好ましい。
【００３１】
格子状板は適宜その格子の形を選択し意匠的な効果を持たせることが可能であるが、特に六角格子あるいは四角格子の何れかであれば、容易に作成することが可能であり、また、意匠性に優れる。
【００３２】
前記壁を、光吸収性表面を有するようにすることが好ましく、本発明の、疑似平行光を得る効果、観察者への投光器の視認性を抑える効果、観察者への投光を抑える効果をより高めることができる。
【００３３】
前記格子状板の材料を金属とすることで、放熱性が高められたるため、好ましい。
【００３４】
前記拡散光平面光源としては、薄くて柔らかい拡散光が得られる有機ＥＬ光源が好ましい。
【００３５】
前記配向角度制御手段は、前記発光面の全面に貼り付けられてなることが好ましく、簡便に取り付け可能である。
【００３６】
このような本発明の疑似平行光投光器であって、前記配向角度制御手段を用途に応じ取り換え可能とすることは、一の拡散光平面光源に対して、多種類の本発明に係る配向角度制御手段を準備することで、本発明に係る投光器の設置場所や被投光対象、観察者に応じた照明効果を得ることができるので好ましい。
【００３７】
また、システム化したシリーズとして、このような拡散光平面光源と複数の配向角度制御手段、即ち、格子状板からなる疑似平行光投光器シリーズを製造、販売することは、効率的であり、また、照明を実施する施主のニーズに的確に答えるものであり、好ましい。
【発明の効果】
【００３８】
本発明の灯光器は、拡散光平面光源の表面に簡易に格子状板を設けるだけで、投光範囲を投光方向に狭めて、いわゆるスポットライトの様な効果を持たせつつ、柔らかい光を投光することができ、かつ、その投光器の投光方向の厚みを薄くすることが可能となるので、様々な分野の、また、新たな分野の照明を実現可能である。
【図面の簡単な説明】
【００３９】
【図１】本発明の疑似平行光投光器の概念図
【図２】有機ＥＬ光源の概念図
【図３】格子状板の格子形状の概念図
【図４】本発明の疑似平行光投光器の断面概念図
【図５】実施例と比較例の投光時灯光器を、投光方向に向かって比較観察した写真
【図６】実施例と比較例の投光時灯光器を、発光面とのなす角度が低角度となる方向から比較観察した写真
【図７】実施例と比較例の灯光器からの投光された被投光対象を比較観察した写真
【発明を実施するための形態】
【００４０】
以下、本発明の実施形態について説明する。なお、本発明は以下の実施形態に限定されるものではなく、当業者の技術常識内で種々変更が可能である。
【００４１】
（疑似平行光投光器）
投光器は、一般に、平行光を被投光対象に投光する。投光光により明るく照明されることで、被投光対象の観察者への視認性は高められる。
【００４２】
本発明は、このような従来の平行光投光灯光器とは異なるコンセプトに基づく投光器であって、拡散光成分を含む光を被投光対象に投光し得る疑似平行光投光器に関し、異なる照明効果が得られる。即ち、拡散光成分を含む光は、被投光対象を柔らかく自然に照明することができるので、その美しさをより引き立たせることができる場合がある。
【００４３】
（疑似平行光）
平行光とは、原則、配向角度が０度のみの光であるが、実際には、ある程度の配向角の光を含む指向性の強い光である。
【００４４】
これに対して、本発明に係る疑似平行光とは、高配向角度光を含まない光であり、具体的には、本発明に係る発光面の法線とのなす角度が６０度以上の高配向角度光を含まない指向性の弱い光である。好ましくは４５度以上の配向角度光を含まず、また、好ましくは３０度以上の配向角度の光を含む。
【００４５】
（投光方向）
本発明に係る投光方向とは、その投光器が最大の光束を投光する方向であり、本発明の投光器では、本発明に係る発光面の法線方向である。従って、本発明の投光器は、その投光方向に位置する被投光対象に投光することを目的として使用されることを前提とする。
【００４６】
本発明の投光器の特徴の一つは、拡散成分を含む光を投光するにも関わらず、観察者に投光しないように制御された投光が可能なことである。
【００４７】
（拡散光平面光源）
拡散光とは、点光源から全方向に向かって放たれる光のように、特定の方向の配向されていない光である。
【００４８】
本発明に係る拡散光平面光源は、拡散光を出射する平面光源である。本発明に係る発光面の面内各点からは、−９０度から９０度の範囲の配向角度の光が放たれ、配向性は低い。しかし、後述するように、出射結合フィルムを貼り付けることで、低配向角度光の光束を向上させた平面光源であっても、高配向角度光を含むので拡散光平面光源に分類できる。
【００４９】
このような本発明に係る拡散光平面光源としては、点光源、例えば、豆電球を平面内に配した平面光源や、ＬＥＤ光源と拡散板を組み合わせて平面光源としたもの、後述する有機ＥＬ光源等が挙げられるが、柔らかい良質な拡散光を、様々な色の光として、あるいは、高演色性の光として、投光方向の厚みを薄く、しかも比較的安価に提供できるという理由から、有機ＥＬ光源が好ましい。
【００５０】
（発光面）
このような本発明に係る拡散光平面光源から、実際に大気中に拡散光が出射されるその材料の表面が、本発明に係る発光面である。
【００５１】
本発明の投光器の特徴の一つは、その発光面の全面に本発明に係る配向角度制御手段が設けられていることであり、実質的に発光面の全周において、前記出射した光の本発明の投光器からの投光が、この手段により遮られていることが好ましく、観察者への投光をより有効に防止することができる。
【００５２】
このように発光面の内、本発明に係る配向角度制御手段の具体的材料が対向する領域を非拡散光出射投光領域とし、それ以外の、拡散光の内の配向角度が０度の成分の光がそのまま投光される領域を拡散光出射投光領域とする。
【００５３】
本発明の投光器の特徴の一つは、このような本発明に係る拡散光出射投光領域が、本発明に係る発光面の面積の５０％以上であることであり、より好ましくは７０％以上、さらに好ましくは８０％以上、特に好ましくは９０％以上とすることであり、出射された拡散光をより有効に投光できる。
【００５４】
また、前記非拡散光出射投光領域で出射された拡散光を本発明に係る投光に寄与せしめる工夫が、本発明に係る配向角度制御手段にされてなる投光器とすることが好ましい。
【００５５】
（有機ＥＬ光源）
本発明に係る有機ＥＬ光源１００は、例えば、図２に示すように、透明基板１１０の上に透明電極１２０を形成し、その上に正孔輸送層１３１、発光層１３２，電子輸送層１３３，電子注入層１３４、陰極１４０を形成し、封止層１５０を設けて完成させたものである。
【００５６】
透明基板１１０の素子が形成される面の反対（発光面側）に、出射結合フィルムを貼り付けることで、輝度を増加したものを用いることが好ましい。このことにより、有機ＥＬの有機層内部での干渉により発光が色々な方向にあったものが、ある程度揃えられ、また、出射光量が増加することが知られているが、有機ＥＬ光源の出射光は基本的に拡散光であり、本発明に係る投光光のような、発光面の法線とのなす角度が６０度以上の高配向角度光を含まない光ではない。
【００５７】
このような有機ＥＬ光源の発光面に本発明では図１に示すように格子状板３を設けることとなる。簡単には、貼り付けることができる。従って、格子状板３とガラス板１１０の間には出射結合フィルムを存在しても良いし、存在しなくても良いが、より投光光量を大きくする観点からは存在したほうが好ましい。
【００５８】
（配向角度制御手段）
本発明では、その発光面の全面に、前記配向角度制御手段である、その投光光の配光角度を調整する手段を設けることを特徴としている。
【００５９】
本発明に係る配向角度制御手段は、上述したように、その具体的材料が対向しない本発明に係る発光面の領域である拡散光出射投光領域から出射した拡散光の内、その配向角度が０度の成分の光をそのまま投光し、その具体的材料が対向する前記非拡散光出射投光領域からは、少なくともそのまま光が投光されないようにする手段である。
【００６０】
このような配向角度制御手段が設けられていることで、本発明の投光器は、その観察者からの視認性に関係する投光角度範囲とその投光光の光の柔らかさに関係する配向角度範囲が制御される。従って、同一の拡散光平面光源を用いても、多種類の配向角度制御手段を適用し、これらを用途に応じ取り換え可能とすることで、本発明の投光器は、様々な照明効果を演出することが容易にできる。
【００６１】
（格子状板）
そしてこの配向角度制御手段を、その投光方向の厚みがＤ、平均開口幅がＥである格子状板とし、Ｄ≧Ｅ／√３とすることが好ましい。より好ましくは、Ｄ≧Ｅとすることであり、Ｄ≦√３×Ｅとすることである。
【００６２】
例えば、格子の平均開口幅Ｅを１ｍｍとするときには、格子状板の厚みＤは０．５８ｍｍ以上とすることが好ましい。この場合には、発光面の法線とのなす角度が６０度以上の高配向角度光は、この配向角度制御手段に遮られて発光面から出射されても、本発明の投光器からは投光されないこととなり、また、発光面の法線とのなす角度が６０度以上の高角度位置にいる観察者には投光されず視認されないこととなる。
【００６３】
また、例えば、格子の平均開口幅Ｅを１０ｍｍとするときに、格子状板の厚みＤは１０ｍｍ以上とすることがより好ましい。この場合には、発光面の法線とのなす角度が４５度以上の高配向角度光は、この配向角度制御手段に遮られて発光面から出射されても、本発明の投光器からは投光されないこととなり、また、発光面の法線とのなす角度が４５度以上の高角度位置にいる観察者には投光されず視認されないこととなる。
【００６４】
また、例えば、格子の平均開口幅Ｅを０．１ｍｍとするときに、格子状板の厚みＤは０．１７３ｍｍ以下とすることがより好ましい。この場合に、発光面の法線とのなす角度が３０度以下の配向角度の光を含む柔らかい疑似平行光を本発明の投光器からは投光することができることとなる。
【００６５】
平面光源の薄いという特徴を活かす観点からは、Ｄは１０ｍｍ以下であることが好ましく、５ｍｍ以下であることがより好ましく、２ｍｍ以下であることがさらに好ましく、１ｍｍ以下であることが特に好ましい。Ｄを０．５ｍｍ以下とすると、光器の発光状態自体が特殊効果を有することとなり、好ましい。
【００６６】
格子の厚みとしては、適宜決められるが、一般的には１ｍｍから３ｍｍの厚みにすることで、例えば有機ＥＬ光源の厚みが薄いという特徴を活かした活用が可能となる。
【００６７】
このように、本発明に係る格子状板の構造としては、図４に示す様に、その厚みと平均開口幅が重要であり、厚みと平均開口幅が同じ場合には、約９０度の投光角度範囲が得られる。一方、厚みＤが増加すると、投光角度範囲が狭くなり、より絞りこまれた角度範囲での投光となる。また、平均開口幅Ｅが小さくなるとこの角度範囲が広くなる。ある程度、絞った角度範囲で投光するためには平均開口幅と厚みが等しいか、あるいは厚みの方が大きいことが望ましいが、それらは用途により適宜決めれば良い。
【００６８】
本発明に係る格子状板の開口を構成する格子形状は、様々な形状のものを、または、異なる形状のものを組み合わせて、使用することができるが、意匠性や製造し易さの観点から、六角格子、四角格子、及びダンボール断面形状格子であることが好ましく、1種類の形状からなることがより好ましい。
【００６９】
図３に、このような四角格子と六角格子を例示する。製造のやりやすさによって、また、意匠性を考慮して適宜使用可能である。
【００７０】
格子状板は光学接着剤を格子の片面に塗布し、本発明に係る発光面に貼り付けることで簡便に設けることができる。
【００７１】
このような、格子状板の形成方法としては、幾つかの方法があるが、それらの内から一つあるいは２つの方法を用いて作れば良い。例えば、手間の掛かる方法としては、格子状板の高さになるテープ状の部材に等間隔で切り目を入れたものを用意し、それを組み合わせ接合点に接着材を設けることで格子を構成することができる。また、簡単に作ろうと考えるのであれば、金型に格子状に切れ目を構成して、その部分に金属やプラスチックを流し込む構造が考えられる。また、テープ上の部材に等間隔にある幅で接着剤を付けて、付けた部分と付けない部分を交互にして引っ張れば、ハニカム状の格子形状を有する構造体が得られるのでこれを本発明に係る発光面に取り付ければ良い。
【００７２】
また、ダンボール紙を輪切りにすれば、その断面が１種の格子（三角格子）の要素となるのでそれを重ねて貼り合わせることにより三角格子である、段ボール断面形状格子を形成することができる。
【００７３】
また、格子状板の材質としては、安価なものから、高価なものまで実施が可能であるが、生産性を良くするためには、樹脂をモールドして格子状板を形成することが好ましい。格子状板を金属で構成する場合には、その格子に熱を逃がす効果を持たせても良い。
【００７４】
格子状板は、例えば、薄い紙をテープ上に切って、片方に等間隔に切り込みを入れて、その紙同士を組みあせて構成することも可能であるが、格子を金属で構成して、格子を光照射面に貼り付けると格子が放熱フィンの様な効果を持たせることも可能である。
【００７５】
（開口）
このように本発明に係る格子状板は、本発明に係る拡散光出射投光領域に対応する、貫通された開口を有するものである。開口は１つであっても、ある程度の効果は得られるが、複数である方がより効果的である。
【００７６】
このような本発明に係る開口は、隣り合う開口を個々に分断する壁であって、投光方向の厚みである高さＤ、発光面の面内方向の平均壁厚みＴにおいて、Ｔ≦０．５Ｅである壁により形成されていることが好ましく、平面光源で発光した光をより有効に投光できる。Ｔ≦０．２５Ｅであることがより好ましく、Ｔ≦０．１Ｅであることがさらに好ましく、Ｔ≦０．０５Ｅであることが特に好ましい。格子の壁は薄いことが投光光量を稼ぐ上では重要であるが、場合によって、視覚効果のために厚みを調整して光量を調整することができる。概ね、壁の面積と、格子状板を貼り付ける面積の比で光量は増減し、投光光量が調整される。
【００７７】
また、格子状板の内壁あるいは全体を、光吸収性表面、例えば、艶消し黒色で着色された表面とすれば発光そのものを目立たなくすることが可能であり、本発明の効果がより効果的に奏されるので好ましい。
【００７８】
壁表面を白色にすれば、白色発光のデバイスの場合に格子を目立たなくすることが可能である。金属面、鏡面とすれば、光量を増大することが可能となるが、集光的な効果は薄れる。格子の壁は薄いことが光量を稼ぐ上では重要であるが、場合として視覚効果のために厚みを調整して光量を調整することができる。概ね、壁の面積と、格子状板を貼り付ける面積の比で光量は増減し、光量が調整される。
【実施例】
【００７９】
以下、実施例について説明する。
【００８０】
図５は、実施例と比較例の投光時灯光器を、投光方向に向かって比較観察した写真である。
【００８１】
図６は、実施例と比較例の投光時灯光器を、発光面とのなす角度が低角度となる方向から比較観察した写真である。
【００８２】
図７は、実施例と比較例の灯光器からの投光された被投光対象を比較観察した写真である。
【００８３】
実施例１、２では、ダンボール紙を輪切りにして、ストリップを作り、それを張り合わせたものを格子状板とした。その張り合わせたものを艶消し黒で一部着色し（実施例１の大部分）、有機ＥＬ光源光源の前に配置している。
【００８４】
この実施例の格子状板は、あくまでもこの発明が機能するかを検証するための実験装置であり、手作りの作品であるから機能が制限されているが、製品とする場合には、艶消しの黒プラスチック等でモールドして作ることができる。壁の厚みは３ｍｍとしているが、厚みは適宜薄くすることができる。有機ＥＬ光源の発光面にガムテープで格子状板を貼り付けているだけであるが、耐熱性の接着剤、光学用の接着剤で格子状板を貼り付けることで更に意匠性を高めることも可能である。
【００８５】
図５に示す様に正面から、見ると、格子状板の間から光がでているのが分かる。比較例１と比較して、格子状板の壁の厚みの分、実施例１，２共に暗くなっていることがわかるが、黒色で塗布されていない部分では有機ＥＬ光源からの横方向への光が格子の内部の壁で反射していることで正面から見て少し明るくなっている。
【００８６】
このことは、これらの投光器を側面から見た場合の観察（図６）で著しい差異となってくる。すなわち、無反射の黒塗料で壁面を塗った実施例１では、光源が見えにくくなっているのに対して、部分的に塗った実施例２では、格子内部の乱反射により、あたかも光源が格子状板の厚みだけ表にせり出した様に見える。格子状板の作りが完璧であれば光源は黒く見えるのみであると考えられる。
【００８７】
これらの投光器から４０ｃｍ離れた所に展示物を置いて観察した。図７に示す様に、展示物への照明効果の差異は見られなかった。この原因は展示物の大きさが光源の大きさよりも小さいことが原因と考えられるが、展示物の大きさに合わせて光源の大きさを調整できることが、例えば有機ＥＬ光源のメリットと考えられるので、格子状板による周辺部の減光は、展示物の照明という用途においては実用的に問題にならないと考える。
【００８８】
一方、この実施例、比較例では、３枚の正方形有機ＥＬパネルをつないだ装置の前に、格子状板を配置しているが、有機ＥＬパネルでは電極等の取り出しの為にそれぞれのパネルの周辺部では発光できない。その為に、繋ぎ目が気になる等の問題があるが、格子状板を配置することにより、光源を横から見た場合い繋ぎ目を目隠しする効果も期待できる。
【符号の説明】
【００８９】
１１０  ガラス基板
２  光学結合フィルム（ＯＣＦ）
３  格子状板
１００  有機ＥＬ光源
【図１】
2015099695.tif 000003
【図２】
2015099695.tif 000004
【図３】
2015099695.tif 000005
【図４】
2015099695.tif 000006
【図５】
2015099695.tif 000007
【図６】
2015099695.tif 000008
【図７】
2015099695.tif 000009